(57)【要約】【課題】互いに関連する複数の地点を目的地として入力する作業を簡素化することができるようにする。【解決手段】所定の地点が目的地として入力されたときに、各地点が互いに関連する複数の地点から成るリンク地点に属するかどうかを判断する目的地種別判断処理手段と、入力された地点がリンク地点に属する場合に、リンク地点情報を取得するリンク地点情報取得処理手段と、リンク地点情報に基づいて、リンク地点に属する他の地点を目的地として追加する目的地追加設定処理手段とを有する。訪れる各地点を目的地として入力する作業を簡素化することができる。【選択図】図１
2009264960.tif 000002
【特許請求の範囲】
【請求項１】
操作者が所定の地点を目的地として入力したときに、入力された前記地点が互いに関連する複数の地点から成るリンク地点に属するかどうかを判断する目的地種別判断処理手段と、入力された地点が前記リンク地点に属する場合に、リンク地点に属する各地点のリンク地点情報を取得するリンク地点情報取得処理手段と、取得されたリンク地点情報に基づいて、リンク地点に属する他の地点を目的地として追加する目的地追加設定処理手段とを有することを特徴とする目的地設定システム。
【請求項２】
入力された地点がリンク地点に属する場合に、操作者にその旨を通知する設定案内処理手段を有する請求項１に記載の目的地設定システム。
【請求項３】
リンク地点の及ぶ広さに応じて設定された案内レベルごとに案内の形態を異ならせて、入力された地点が属するリンク地点についてのリンク地点情報を操作者に案内する設定案内処理手段を有する請求項１に記載の目的地設定システム。
【請求項４】
操作者が所定の地点を目的地として入力したときに、入力された前記地点が互いに関連する複数の地点から成るリンク地点に属するかどうかを判断し、入力された地点が前記リンク地点に属する場合に、リンク地点に属する各地点のリンク地点情報を取得し、取得されたリンク地点情報に基づいて、リンク地点に属する他の地点を目的地として追加することを特徴とする目的地設定方法。
【請求項５】
コンピュータを、操作者が所定の地点を目的地として入力したときに、入力された前記地点が互いに関連する複数の地点から成るリンク地点に属するかどうかを判断する目的地種別判断処理手段、入力された地点が前記リンク地点に属する場合に、リンク地点に属する各地点のリンク地点情報を取得するリンク地点情報取得処理手段、及び取得されたリンク地点情報に基づいて、リンク地点に属する他の地点を目的地として追加する目的地追加設定処理手段として機能させることを特徴とするプログラム。
【発明の詳細な説明】
【技術分野】
【０００１】
本発明は、目的地設定システム、目的地設定方法及びプログラムに関するものである。
【背景技術】
【０００２】
従来、ナビゲーション装置においては、操作者である運転者が目的地を入力し、探索条件を設定すると、該探索条件に基づいて、経路探索処理が行われ、地図データに基づいて、現在地で表される出発地から目的地までの経路が探索される。そして、探索された経路、すなわち、探索経路が、表示部に形成された地図画面に車両の現在地を表す自車位置と共に表示され、探索経路の案内、すなわち、経路案内が行われる。また、前記地図画面上の探索経路の表示のほかに、音声出力による経路案内も行われる。
【０００３】
したがって、運転者は表示された探索経路に沿って、また、音声出力による経路案内に従って車両を走行させることができる。
【０００４】
ところで、ナビゲーション装置を使用して、互いに関連する複数の地点、例えば、各地に存在する七福神、四国八十八箇所霊場、秩父三十三箇所観音霊場等の各寺院、札所等を順次訪れたり、日本三景、日本百景等の各名所、景勝地等を順次訪れたりする場合、運転者は、訪れる各地点を目的地として設定するために、各地点を入力するようになっている（例えば、特許文献１参照。）。
【特許文献１】特開２００５−３３１４７０号公報
【発明の開示】
【発明が解決しようとする課題】
【０００５】
しかしながら、前記従来のナビゲーション装置においては、訪れる各地点を入力する作業が極めて煩わしい。
【０００６】
本発明は、前記従来のナビゲーション装置の問題点を解決して、互いに関連する複数の地点を目的地として入力する作業を簡素化することができる目的地設定システム、目的地設定方法及びプログラムを提供することを目的とする。
【課題を解決するための手段】
【０００７】
そのために、本発明の目的地設定システムにおいては、操作者が所定の地点を目的地として入力したときに、入力された前記地点が互いに関連する複数の地点から成るリンク地点に属するかどうかを判断する目的地種別判断処理手段と、入力された地点が前記リンク地点に属する場合に、リンク地点に属する各地点のリンク地点情報を取得するリンク地点情報取得処理手段と、取得されたリンク地点情報に基づいて、リンク地点に属する他の地点を目的地として追加する目的地追加設定処理手段とを有する。
【発明の効果】
【０００８】
本発明によれば、入力された地点がリンク地点に属する場合に、リンク地点に属する各地点のリンク地点情報が取得され、取得されたリンク地点情報に基づいて、リンク地点に属する他の地点が目的地として追加されるので、訪れる各地点を目的地として入力する作業を簡素化することができる。
【発明を実施するための最良の形態】
【０００９】
以下、本発明の実施の形態について図面を参照しながら詳細に説明する。この場合、目的地設定システムとしてのナビゲーションシステムについて説明する。
【００１０】
図１は本発明の実施の形態におけるナビゲーションシステムを示す図である。
【００１１】
図において、１４は情報端末、例えば、車両に搭載された車載装置としてのナビゲーション装置、６３はネットワーク、５１は情報提供者としての情報センタであり、ナビゲーション装置１４、ネットワーク６３、情報センタ５１等によってナビゲーションシステムが構成される。
【００１２】
前記ナビゲーション装置１４は、車両の現在地を自車位置として、また、車両の方位を自車方位として検出する現在地検出部としてのＧＰＳセンサ１５、図示されない地図データのほかに各種の情報が記録された情報記録部としてのデータ記録部１６、ナビゲーション処理等の各種の演算処理を行うナビゲーション処理部１７、操作者である運転者が操作することによって所定の入力を行うための第１の入力部としての操作部３４、図示されない画面に表示された画像によって各種の表示を行い、運転者に通知するための第１の出力部としての表示部３５、運転者が音声によって所定の入力を行うための第２の入力部としての音声入力部３６、音声出力を行い、各種の情報を運転者に通知するための第２の出力部としての音声出力部３７、及び通信端末として機能する送受信部としての通信部３８を備え、前記ナビゲーション処理部１７に、ＧＰＳセンサ１５、データ記録部１６、操作部３４、表示部３５、音声入力部３６、音声出力部３７及び通信部３８が接続される。また、前記ナビゲーション処理部１７には、車速を検出する車速検出部としての車速センサ４４等が接続される。そして、前記ＧＰＳセンサ１５は、自車位置及び自車方位のほかに時刻を検出する。なお、ＧＰＳセンサ１５とは独立させて方位センサを配設し、該方位センサによって自車方位を検出することができる。
【００１３】
前記データ記録部１６には図示されない地図データベースが配設され、該地図データベースに地図データが記録される。該地図データには、交差点（分岐点）に関する交差点データ、ノードに関するノードデータ、道路リンクに関する道路データ、探索用に加工された探索データ、施設に関する施設データ等が含まれるほか、道路上の地物に関する地物データが含まれる。
【００１４】
さらに、前記データ記録部１６には図示されない統計データベース、走行履歴データベース等が配設され、前記統計データベースに統計データが、前記走行履歴データベースに走行履歴データが、いずれも実績データとして記録される。
【００１５】
前記データ記録部１６は、前記各種のデータを記録するために、ハードディスク、ＣＤ、ＤＶＤ、光ディスク等の図示されないディスクを備えるほかに、各種のデータを読み出したり、書き込んだりするための読出・書込ヘッド等の図示されないヘッドを備える。また、前記データ記録部１６にメモリカード等を使用することができる。なお、前記各ディスク、メモリカード等によって第１の記憶装置が構成される。
【００１６】
本実施の形態においては、前記データ記録部１６に、前記地図データベース、統計データベース、走行履歴データベース等が配設されるようになっているが、情報センタ５１に前記地図データベース、統計データベース、走行履歴データベース等を配設することもできる。
【００１７】
また、前記ナビゲーション処理部１７は、ナビゲーション装置１４の全体の制御を行う制御装置としての、かつ、演算装置としてのＣＰＵ３１、該ＣＰＵ３１が各種の演算処理を行うに当たってワーキングメモリとして使用されるＲＡＭ３２、制御用のプログラムのほか、目的地までの経路の探索、経路案内等を行うための各種のプログラムが記録されたＲＯＭ３３、各種のデータ、プログラム等を記録するために使用される図示されないフラッシュメモリ等を備える。なお、前記ＲＡＭ３２、ＲＯＭ３３、フラッシュメモリ等によって、第２の記憶装置が構成される。
【００１８】
前記操作部３４として、表示部３５とは独立させて配設された図示されないキーボード、マウス等を使用することができる。また、前記操作部３４として、前記表示部３５に形成された画面に画像で表示された各種のキー、スイッチ、ボタン等の画像操作部をタッチ又はクリックすることによって、所定の入力操作を行うことができるようにしたタッチパネルを使用することができる。
【００１９】
そして、前記表示部３５としてディスプレイが使用され、前記表示部３５に形成された各種の画面に、自車位置、自車方位等を表示したり、地図、探索経路、該探索経路に沿った案内情報、交通情報等を表示したり、探索経路における次の交差点までの距離、次の交差点における進行方向を表示したりすることができる。
【００２０】
また、音声入力部３６は、図示されないマイクロホン等によって構成され、音声によって必要な情報を入力することができる。さらに、音声出力部３７は、図示されない音声合成装置及びスピーカを備え、前記探索経路の経路案内を音声出力によって行う。
【００２１】
前記通信部３８は、道路交通情報センタから送信された現況の交通情報、一般情報等の各種の情報を受信するための図示されないビーコンレシーバ、前記各種の情報をＦＭ放送局を介してＦＭ多重放送として受信するための図示されないＦＭ受信機等を備える。そして、前記通信部３８は、前記情報センタ５１から、交通情報、一般情報等の情報のほかに、前記地図データ、統計データ、走行履歴データ等のデータをネットワーク６３を介して受信することができる。
【００２２】
そのために、前記情報センタ５１は、サーバ５３、該サーバ５３に接続された通信部５７、情報記録部としてのデータベース（ＤＢ）５８等を備え、前記サーバ５３は、制御装置としての、かつ、演算装置としてのＣＰＵ５４、ＲＡＭ５５、ＲＯＭ５６等を備える。また、前記データベース５８に、前記データ記録部１６に記録された各種のデータと同様のデータが記録される。前記データベース５８、ＲＡＭ５５、ＲＯＭ５６等によって第３の記憶装置が構成される。
【００２３】
なお、前記ナビゲーションシステム、ナビゲーション処理部１７、ＣＰＵ３１、５４、サーバ５３等は、単独で、又は二つ以上組み合わせることによってコンピュータとして機能し、各種のプログラム、データ等に基づいて演算処理を行う。また、前記データ記録部１６、ＲＡＭ３２、５５、ＲＯＭ３３、５６、データベース５８、フラッシュメモリ等によって記録媒体が構成される。そして、演算装置として、ＣＰＵ３１、５４に代えてＭＰＵ等を使用することもできる。
【００２４】
次に、前記構成のナビゲーションシステムの基本動作について説明する。
【００２５】
まず、運転者によって操作部３４が操作され、ナビゲーション装置１４が起動されると、ＣＰＵ３１の図示されない初期化処理手段は、初期化処理を行い、ＧＰＳセンサ１５によって検出された自車位置及び自車方位を読み込むとともに、各種のデータを初期化する。また、前記ＣＰＵ３１の図示されないマッチング処理手段は、マッチング処理を行い、読み込まれた自車位置の軌跡、及び自車位置の周辺の道路を構成する各道路リンクの形状、配列等に基づいて、自車位置がいずれの道路リンク上に位置するかの判定を行うことによって、自車位置を特定する。
【００２６】
続いて、ＣＰＵ３１の図示されない基本情報取得処理手段は、基本情報取得処理を行い、前記地図データを、データ記録部１６から読み出して取得するか、又は通信部３８を介して情報センタ５１等から受信して取得する。
【００２７】
そして、前記ＣＰＵ３１の図示されない表示処理手段は、表示処理を行い、前記表示部３５に地図画面を形成し、該地図画面に自車位置、自車位置の周辺の地図及び自車方位を表示する。したがって、運転者は、前記自車位置、自車位置の周辺の地図及び自車方位に従って車両を走行させることができる。
【００２８】
また、運転者が操作部３４を操作して目的地を入力すると、ＣＰＵ３１の図示されない目的地設定処理手段は、目的地設定処理を行い、目的地を設定する。なお、必要に応じて出発地を入力し、設定することもできる。また、あらかじめ所定の地点を登録しておき、登録された地点を目的地として設定することもできる。続いて、運転者が操作部３４を操作して探索条件を入力すると、ＣＰＵ３１の図示されない経路探索処理手段は、経路探索処理を行い、前記自車位置、目的地、探索条件等を読み込むとともに、データ記録部１６から探索データ等を読み出し、自車位置、目的地及び探索データに基づいて、自車位置で表される出発地から目的地までの経路を前記探索条件で探索し、探索経路を表す経路データを出力する。この場合、各道路リンクごとに付与されたリンクコストの合計が最も小さい経路が探索経路とされる。
【００２９】
なお、前記情報センタ５１において経路探索処理を行うこともできる。その場合、ＣＰＵ３１は、ネットワーク６３を介して自車位置、自車方位、目的地、探索条件等を情報センタ５１に送信する。該情報センタ５１が前記自車位置、自車方位、目的地、探索条件等を受信すると、ＣＰＵ５４の図示されない経路探索処理手段は、ＣＰＵ３１と同様の経路探索処理を行い、データベース５８から探索データ等を読み出し、受信した自車位置、自車方位、目的地、探索条件等に基づいて、出発地から目的地までの経路を探索し、探索経路を表す経路データを出力する。そして、ＣＰＵ５４の図示されない送信処理手段は、送信処理を行い、ネットワーク６３を介して前記経路データをナビゲーション装置１４に送信する。
【００３０】
続いて、前記ＣＰＵ３１の図示されない案内処理手段は、案内処理を行い、経路案内を行う。そのために、前記案内処理手段の経路表示処理手段は、経路表示処理を行い、前記経路データを読み込み、該経路データに従って前記地図画面に探索経路を表示する。この場合、必要に応じて、前記案内処理手段の音声出力処理手段は、音声出力処理を行い、音声出力部３７から探索経路を音声で出力して経路案内を行う。
【００３１】
また、前記案内処理手段の案内点拡大図形成処理手段は、案内点拡大図形成処理を行い、車両が案内交差点に到達する前に、地図画面の所定の領域に案内交差点の拡大図、すなわち、案内点拡大図としての交差点拡大図を形成し、該交差点拡大図による経路案内を行う。そのために、探索経路上の前記案内交差点より手前（自車位置側）の、設定された距離だけ離れた箇所に、案内点拡大図表示地点が設定され、車両が案内点拡大図表示地点に到達すると、表示部３５に前記交差点拡大図が形成される。
【００３２】
この場合、該交差点拡大図に、前記案内交差点の周辺の地図、探索経路、案内交差点において目印になる施設等の陸標が表示される。
【００３３】
また、前記表示処理手段は、通信部３８を介して交通情報を受信すると、該交通情報を交通状況指標としての渋滞帯に変換し、該渋滞帯を前記地図画面上の道路に沿って表示する。この場合、前記渋滞帯は、渋滞の始点から終点にかけて表示され、かつ、渋滞の度合いに応じて、赤、橙（だいだい）、緑等の色で表示される。このようにして、運転者は、車両を走行させる予定の経路、探索経路等における道路の渋滞状況を知ることができる。
【００３４】
ところで、互いに関連する複数の地点、例えば、各地に存在する七福神、四国八十八箇所霊場、秩父三十三箇所観音霊場等の各寺院、札所等を順次訪れたり、日本三景、日本百景等の各名所、景勝地等を順次訪れたりする場合、訪れる各地点を目的地として設定するために各地点を入力する必要があると、作業が極めて煩わしい。
【００３５】
そこで、本実施の形態においては、前記目的地設定処理において、目的地の入力を簡便な操作で行うことができるようになっている。
【００３６】
図２は本発明の実施の形態における目的地設定処理手段の動作を示すフローチャートである。
【００３７】
この場合、運転者が、表示部３５に形成されたメニュー画面において目的地の設定を選択すると、前記目的地設定処理手段の目的地入力画面形成処理手段は、目的地入力画面形成処理を行い、表示部３５に目的地入力画面を形成する。該目的地入力画面には、目的地を入力する方法、すなわち、入力方法を選択するためのメニューが表示される。該メニューにおいては、目的地を、五十音で入力する五十音入力、電話番号で入力する電話番号入力、住所で入力する住所入力、施設で入力する施設入力、メモリ地点で入力するメモリ地点入力等を選択することができる。
【００３８】
前記目的地入力画面で、運転者が所定の入力方法を選択し、目的地を入力すると、前記目的地設定処理手段の目的地種別判断処理手段は、目的地種別判断処理を行い、目的地として入力された地点が、互いに関連する複数の地点、すなわち、リンク地点に属するかどうかを判断する。
【００３９】
この場合、入力された地点が、巡礼、観光等のような特定の共通する意図で訪れる対象となる各地点のうちの一つであり、例えば、各所に存在する七福神、四国八十八箇所霊場、秩父三十三箇所観音霊場等の各寺院、札所等のうちの一つであったり、日本三景、日本百景等の各名所、景勝地等のうちの一つであったりすると、前記目的地種別判断処理手段は、入力された地点がリンク地点に属すると判断する。
【００４０】
そのために、前記データ記録部１６の施設データベースにおいて、所定の施設、例えば、七福神、四国八十八箇所霊場、秩父三十三箇所観音霊場等については各寺院、札所等が、日本三景、日本百景等については各名所、景勝地等が、リンク地点としてそれぞれ設定され、該リンク地点に属する各地点の施設データがリンク地点情報として記録される。
【００４１】
なお、該リンク地点情報は、リンク地点の名称のほかに、リンク地点に属する各地点の名称、座標、施設情報、案内レベル等によって構成される。
【００４２】
該案内レベルは、前記各地点が目的地として入力された際に、リンク地点情報を運転者に案内（通知）する際の案内の形態を表す。本実施の形態において、前記案内レベルは、段階的に設定された複数のレベルから成り、リンク地点の及ぶ広さに応じて、自車位置を出発地としたときの、リンク地点に属するすべての地点を訪れるのに必要な全体の走行時間、全体の走行工程等を考慮して設定される。例えば、すべての地点を１日以内で訪れることができるリンク地点、全体の走行工程が２００〔ｋｍ〕以内であるリンク地点、一つの都道府県内に収まるリンク地点等はレベル１に設定され、すべての地点を訪れるのに２日以上必要になるリンク地点、全体の走行工程が２００〔ｋｍ〕以上になるリンク地点、二つ以上の近隣の都道府県に及ぶリンク地点等はレベル２に設定される。このとき、案内レベルのレベル２を、リンク地点の及ぶ広さに応じて、更に複数の案内レベルに分割することもできる。
【００４３】
そして、前記目的地種別判断処理手段によって、入力された地点がリンク地点に属すると判断されると、前記目的地設定処理手段の設定案内処理手段は、設定案内処理を行い、入力された地点がリンク地点に属する旨を運転者に通知するために、表示部３５に設定案内画面を形成し、該設定案内画面に、入力された地点がリンク地点に属する旨のメッセージを表示するとともに、操作要素としてのリンク地点案内指示ボタンを表示し、運転者にリンク地点の案内を要求するように促す。また、前記設定案内処理手段は、入力された地点がリンク地点に属する旨のメッセージ、及びリンク地点の案内を要求する場合に、音声出力によって運転者にリンク地点案内指示ボタンの押下を促す旨のメッセージを、音声出力によって運転者に通知する。
【００４４】
そして、運転者がリンク地点案内指示ボタンを押下すると、前記目的地設定処理手段の案内レベル判断処理手段は、案内レベル判断処理を行い、入力された地点の案内レベルを読み込むことによって、入力された地点が属するリンク地点の案内レベルを判断する。
【００４５】
また、前記目的地設定処理手段のリンク地点情報取得処理手段は、リンク地点情報取得処理を行い、入力された地点が属するリンク地点についてのリンク地点情報を、データ記録部１６から読み出すことによって取得し、前記設定案内処理手段は、取得されたリンク地点情報を読み込み、前記設定案内画面に、リンク地点に属する各地点を、例えば、リストで表示するとともに、前記案内レベルを読み込み、案内レベルに従って、リンク地点についてのリンク地点情報を運転者に案内する。
【００４６】
この場合、案内レベルごとにリンク地点についての運転者に対する案内の形態が異なり、前記設定案内処理手段は、レベル１の場合、例えば、他の地点を目的地に追加するかどうかの指示を直ちに促し、レベル２の場合、全体の走行工程を通知した上で、他の地点を目的地に追加するかどうかの要求を促したりする。
【００４７】
例えば、入力された地点が七福神の寺院のうちの一つである場合、案内レベルはレベル１にされるので、「七福神に含まれる寺院です。リンク箇所は７箇所あります。他の寺院も目的地に追加しますか。」等の音声フレーズが音声出力部３７によって出力され、四国八十八箇所霊場の札所のうちの一つの札所である場合、案内レベルはレベル２であるので、「四国八十八箇所霊場に含まれる札所です。リンク箇所は８８箇所あります。全走行工程は○○キロメートルになります。他の札所も目的地に追加しますか。」等の音声フレーズが音声出力部３７によって出力される。
【００４８】
このとき、前記設定案内処理手段は、設定案内画面に、操作要素として、全設定ボタン、部分設定ボタン、及び非設定ボタンを表示する。前記全設定ボタンは、表示されたすべての地点を目的地として追加し、設定するためのものであり、部分設定ボタンは、表示された各地点のうちの所望の地点を目的地として追加し、設定するためのものであり、非設定ボタンは、表示された地点を目的地として追加しないためのものである。
【００４９】
そして、リンク地点情報の案内に従って運転者が全設定ボタンを押下し、全設定を選択すると、前記目的地設定処理手段の目的地追加設定処理手段は、目的地追加設定処理を行い、すべての地点を目的地として追加し、設定する。また、運転者が部分設定ボタンを押下し、部分設定を選択すると、前記目的地追加設定処理手段は、運転者がリストから選択した地点を目的地として追加し、設定する。
【００５０】
このとき、前記目的地追加設定処理手段は、自車位置（出発地）から所定の地点を立寄地点として経由して最終の目的地に到達するまでの最適な経路を探索することができるように、立寄地点を順次選択し、設定する。そのために、前記設定案内処理手段は、最適な経路を探索するための操作要素としての探索条件選択ボタンを設定案内画面に表示し、運転者が、探索条件選択ボタンを押下して、全体の走行時間を短くするための探索条件、又は全体の走行工程を短くするための探索条件を選択するように促す。
【００５１】
このようにして探索条件が設定されると、前記経路探索処理手段は、設定された探索条件に従って経路を探索する。
【００５２】
このように、本実施の形態においては、運転者が所定の地点を目的地として入力すると、入力された地点がリンク地点に属する場合に、リンク地点情報が案内され、案内に従って他の地点を目的地として追加することができるので、訪れる各地点を目的地として入力する作業を簡素化することができる。
【００５３】
なお、探索経路に沿って車両を走行させ、各地点を訪れるたびに、各地点に識別子を付与し、既に訪れた地点とまだ訪れていない地点とを識別することができる。
【００５４】
次に、フローチャートについて説明する。
ステップＳ１  目的地が入力される。
ステップＳ２  目的地として入力された地点がリンク地点に属するかどうかを判断する。目的地として入力された地点がリンク地点に属する場合はステップＳ３に進み、目的地として入力された地点がリンク地点に属していない場合は処理を終了する。
ステップＳ３  リンク地点案内指示ボタンを表示する。
ステップＳ４  リンク地点案内指示ボタンが押下されたかどうかを判断する。リンク地点案内指示ボタンが押下された場合はステップＳ５に進み、リンク地点案内指示ボタンが押下されていない場合は処理を終了する。
ステップＳ５  案内レベル判断処理を行う。
ステップＳ６  リンク地点情報を案内する。
ステップＳ７  全設定が選択されたかどうかを判断する。全設定が選択された場合はステップＳ８に、全設定が選択されていない場合はステップＳ９に進む。
ステップＳ８  すべての地点を目的地として設定し、処理を終了する。
ステップＳ９  選択された地点を目的地として設定し、処理を終了する。
【００５５】
なお、本発明は前記実施の形態に限定されるものではなく、本発明の趣旨に基づいて種々変形させることが可能であり、それらを本発明の範囲から排除するものではない。
【図面の簡単な説明】
【００５６】
【図１】本発明の実施の形態におけるナビゲーションシステムを示す図である。
【図２】本発明の実施の形態における目的地設定処理手段の動作を示すフローチャートである。
【符号の説明】
【００５７】
１４    ナビゲーション装置
１６    データ記録部
３５    表示部
５１    情報センタ
６３    ネットワーク
【図１】
2009264960.tif 000003
【図２】
2009264960.tif 000004